(57)【要約】  【課題】  走査方式に対応して最適な波形のダイナミックフォーカス電圧を生成可能なダイナミックフォーカス回路を提供すること。  【解決手段】  ダイナミックフォーカス回路２０は、共振コンデンサ部２４と昇圧トランス２６の一次巻線２６Ａにより形成される第１の共振回路によりパルス状電圧を生成し、共振コンデンサ部２５と一次巻線２６Ａにより形成される第２の共振回路によりパラボラ状電圧を生成し、これらを昇圧トランス２６で合成、昇圧してダイナミックフォーカス電圧として出力する。インターレース方式の場合は、スイッチＳ１、Ｓ２をオン、プログレッシブ方式の場合は、Ｓ１、Ｓ２をオフにして、各走査方式で第１と第２の共振回路の共振周波数を個別に切り換えるようにすることで、最適なダイナミックフォーカス電圧を得る。【選択図】  図２
2005184146.tif 000002
【特許請求の範囲】
【請求項１】
走査方式を複数有する陰極線管装置に備えられるダイナミックフォーカス回路であって、
第１の共振コンデンサを有し、水平周期と同期するタイミングでピークとなるパルス状電圧を生成する第１の共振回路と、
第２の共振コンデンサを有し、水平周期と同期するパラボラ状電圧を生成する第２の共振回路と、
前記パルス状電圧と前記パラボラ状電圧とを合成する電圧合成手段と、
各走査方式における水平走査周波数に応じて、少なくとも前記第２の共振回路の共振周波数を変更させる共振周波数変更手段と、
を備えることを特徴とするダイナミックフォーカス回路。
【請求項２】
前記共振周波数変更手段は、
共振周波数変更の対象となる共振回路における共振コンデンサの静電容量を変えることによって共振周波数を変更させることを特徴とする請求項１に記載のダイナミックフォーカス回路。
【請求項３】
前記電圧合成手段は、一次巻線と二次巻線とからなる昇圧トランスを備え、
前記一次巻線の一端に前記パルス状電圧が入力され、その他端に前記パラボラ状電圧が入力され、前記パルス状電圧と前記パラボラ状電圧とを差分合成することを特徴とする請求項１または２に記載のダイナミックフォーカス回路。
【請求項４】
前記電圧合成手段によって合成された合成電圧に、垂直周期に同期する垂直パラボラ電圧を重畳することを特徴とする請求項１乃至３のいずれか一項に記載のダイナミックフォーカス回路。
【請求項５】
ダイナミックフォーカス回路を備える陰極線管装置であって、
ダイナミックフォーカス回路として、請求項１乃至４のいずれか一項に記載のダイナミックフォーカス回路を備えていることを特徴とする陰極線管装置。          
【発明の詳細な説明】
【技術分野】
【０００１】
本発明は、陰極線管装置におけるダイナミックフォーカス回路及び陰極線管装置に関する。
【背景技術】
【０００２】
近年の陰極線管装置では、電子銃に印加するフォーカス電圧に、電子ビームの偏向角が大きくなるに連れて暫時に電圧が高くなる補正電圧をダイナミックフォーカス電圧として重畳して、画面全域において最適なフォーカスを得る、いわゆるダイナミックフォーカス技術が採用されている。
図７は、電子ビームが水平方向に走査される際のダイナミックフォーカス電圧の波形例を示す図である。ここで、同図の破線は、水平周期を示しており、画面上でいえば、隣接する破線間の中央の位置が画面中央に相当し、破線付近が画面の周辺部に相当する。
【０００３】
同図に示すように、ダイナミックフォーカス電圧は、画面中央から周辺に向かうに連れて、その距離の二乗に比例して漸次に上昇する水平周期のパラボラ状の波形になっている。このようなパラボラ状波形のダイナミックフォーカス電圧は、画面が比較的小さくフラット化もされていない陰極線管装置に主に適用されてきたが、近年では、画面の大型化、フラット化に加えて、ワイド化、奥行きの縮小化等に対する要請が大変高まっており、これに伴って電子ビームの偏向角の広角化が顕著になって来ている。
【０００４】
そのため、ダイナミックフォーカス電圧としても、図７に示すパラボラ状のものから、図８に示すような画面中央ではより平坦で、周辺部ではより急峻に立ち上がる、いわゆる鍋底形をしたものが必要とされている。
そこで、例えば特許文献１には、共振周波数の異なる２つの共振回路を用いることによって、鍋底形の波形のダイナミックフォーカス電圧を生成するダイナミックフォーカス回路が提案されている。
【０００５】
図９は、当該ダイナミックフォーカス回路１２０の回路構成を示す図である。
同図に示すように、ダイナミックフォーカス回路１２０は、スイッチングパルス発生回路１２１、トランジスタ１２２、ダンパーダイオード１２３、共振コイル１２４、共振コンデンサ１２５、一次巻線１２６Ａと二次巻線１２６Ｂとを有する昇圧トランス１２６、カップリングコンデンサ１２７および電源１２８から構成されている。
【０００６】
このダイナミックフォーカス回路１２０では、スイッチングパルス発生回路１２１からの水平周期のパルス信号により、トランジスタ１２２がオン、オフすると、共振コイル１２４と共振コンデンサ１２５からなる第１の共振回路の共振作用によりパルス状の電圧が生成され、一次巻線１２６Ａと共振コンデンサ１２５からなる第２の共振回路によってパラボラ状の電圧が生成され、これらが合成されて、図８に示す鍋底形の波形の電圧が発生し、これが昇圧トランス１２６によって昇圧され、ダイナミックフォーカス電圧としてカップリングコンデンサ１２７を介して出力されるようになっている。
【特許文献１】特許第３０５７５０９号公報
【発明の開示】
【発明が解決しようとする課題】
【０００７】
ところで、近年、インターレーススキャン方式（以下、「インターレース方式」という。）とプログレッシブスキャン方式（以下、「プログレッシブ方式」という。）等の複数の走査方式を任意に選択できる陰極線管装置が開発されている。これは、通常のテレビ放送についてはインターレース方式によって映像を表示して鑑賞する一方で、例えばＤＶＤを再生する際には、プログレッシブ方式によって表示して、高画質の映像を観賞したいという消費者のニーズに応えるためのものである。
【０００８】
このようなインターレース方式とプログレッシブ方式では、水平走査周波数が、例えばインターレース方式で１５．７５（ｋＨｚ）、プログレッシブ方式で３３．７（ｋＨｚ）というように異なるため、走査方式ごとにダイナミックフォーカス電圧の波形を変える必要が生じる。
しかしながら、例えば図９に示す回路構成の場合、共振コンデンサ１２５を第１と第２の共振回路で共用しており、昇圧トランス１２６の一次巻線１２６Ａを第２の共振回路の共振コイルと一次巻線に共用している。そのため、各走査方式に対応すべく、共振コンデンサ１２５の静電容量、一次巻線１２６Ａのインダクタンスを変えて共振周波数を調整しようとしても、第１と第２の共振回路、昇圧トランスに相互に影響を及ぼしてしまう。したがって、一方の走査方式では、最適な波形のダイナミックフォーカス電圧を得られたとしても、他方の走査方式については得られないといったことが起こり、複数の走査方式のそれぞれについて最適な波形のダイナミックフォーカス電圧を生成させることが困難であり、結果として最適なフォーカスを得られない場合が生じることになる。
【０００９】
本発明は、このような問題点に鑑みてなされたものであって、走査方式に対応して最適な波形のダイナミックフォーカス電圧を生成可能なダイナミックフォーカス回路及び陰極線管装置を提供することを目的とする。
【課題を解決するための手段】
【００１０】
上記目的を達成するため、本発明に係るダイナミックフォーカス回路は、走査方式を複数有する陰極線管装置に備えられるダイナミックフォーカス回路であって、第１の共振コンデンサを有し、水平周期と同期するタイミングでピークとなるパルス状電圧を生成する第１の共振回路と、第２の共振コンデンサを有し、水平周期と同期するパラボラ状電圧を生成する第２の共振回路と、前記パルス状電圧と前記パラボラ状電圧とを合成する電圧合成手段と、各走査方式における水平走査周波数に応じて、少なくとも前記第２の共振回路の共振周波数を変更させる共振周波数変更手段と、を備えることを特徴とする。
【００１１】
また、前記共振周波数変更手段は、共振周波数変更の対象となる共振回路における共振コンデンサの静電容量を変えることによって共振周波数を変更させることを特徴とする。
また、前記電圧合成手段は、一次巻線と二次巻線とからなる昇圧トランスを備え、前記一次巻線の一端に前記パルス状電圧が入力され、その他端に前記パラボラ状電圧が入力され、前記パルス状電圧と前記パラボラ状電圧とを差分合成することを特徴とする。
【００１２】
さらに、前記電圧合成手段によって合成された合成電圧に、垂直周期に同期する垂直パラボラ電圧を重畳することを特徴とする。
本発明に係る陰極線管装置は、上記のダイナミックフォーカス回路を備えていることを特徴とする。
【発明の効果】
【００１３】
このように共振回路ごとに個別に共振コンデンサを有しているので、各共振回路における共振周波数を独立して調整、すなわちパルス状とパラボラ状の電圧波形を独立して調整することができる。したがって、走査方式ごとに最適な形状をした鍋底形のダイナミックフォーカス電圧を生成することが可能になる。
【発明を実施するための最良の形態】
【００１４】
以下、本発明に係るダイナミックフォーカス回路及び陰極線管装置の実施の形態について、図面を参照しながら説明する。
図１は、陰極線管装置１の全体構成を示すブロック図である。
同図に示すように、陰極線管装置１は、電子銃１０Ｇを備える陰極線管１０、偏向ヨーク１１、偏向回路１２およびダイナミックフォーカス回路２０を備えている。
【００１５】
偏向回路１２は、水平偏向回路１２Ａと垂直偏向回路１２Ｂを備えている。水平偏向回路１２Ａは、水平同期信号に基づいて水平偏向電流を生成し、垂直偏向回路１２Ｂは、垂直同期信号に基づいて垂直偏向電流を生成し、これらを偏向電流として偏向ヨーク１１に出力する。
偏向ヨーク１１は、偏向回路１２からの偏向電流に基づいて、電子銃１０Ｇから射出された電子ビームを水平・垂直方向に偏向する。
【００１６】
ダイナミックフォーカス回路２０は、ダイナミックフォーカス電圧を生成、出力する回路であり、この出力されたダイナミックフォーカス電圧は、図示しない公知のフライバックトランスから出力されるフォーカス電圧Ｖｆｏｃに重畳されて、電子銃１０Ｇのフォーカス電極に印加される。
このような構成において、陰極線管装置１は、受信した映像信号に基づいて電子銃１０Ｇから電子ビームを放射し、放射した電子ビームを偏向ヨーク１１によって蛍光体スクリーン上を水平・垂直方向に走査することで、画面を表示させる。その際、ダイナミックフォーカス回路２０は、画面全域において最適なフォーカスが得られるように、水平周期（水平走査周波数の逆数）のダイナミックフォーカス電圧を生成して出力する。
【００１７】
図２は、ダイナミックフォーカス回路２０の回路構成を示す図である。
同図に示すように、ダイナミックフォーカス回路２０は、スイッチングパルス発生回路２１、トランジスタ２２、ダンパーダイオード２３、共振コンデンサ部２４、２５、昇圧トランス２６、昇圧トランス２６からの出力電圧の直流成分を除去するカップリングコンデンサ２７、電源２８、電源２８からのノイズを除去するチョークコイル２８Ｃおよび周波数検知回路２９から構成されている。
【００１８】
スイッチングパルス発生回路２１は、受信した水平同期信号に基づいて水平周期のパルス信号をトランジスタ２２のベースに出力し、トランジスタ２２をスイッチングさせる。
共振コンデンサ部２４は、共振コンデンサとしてのコンデンサ２４Ａ、２４Ｂとスイッチ素子Ｓ１を備え、コンデンサ２４Ａ、２４Ｂが直列接続されると共にスイッチＳ１とコンデンサ２４Ｂが並列接続されてなる回路である。
【００１９】
コンデンサ２４Ａの、コンデンサ２４Ｂとの接続端子と反対側の端子は、トランジスタ２２のコレクタに接続され、またダンパーダイオード２３のカソード、昇圧トランス２６の一次巻線２６Ａの一端２６１とも接続されている。スイッチ素子Ｓ１は、周波数検知回路２９と接続され、周波数検知回路２９からの出力信号に基づいてオン（導通）、オフ（非導通）する。なお、コンデンサ２４Ｂの、コンデンサ２４Ａとの接続端子と反対側の端子、トランジスタ２２のエミッタ、ダンパーダイオード２３のアノードは、共に接地（アース）されている。
【００２０】
共振コンデンサ部２５は、共振コンデンサとしてのコンデンサ２５Ａ、２５Ｂとスイッチ素子Ｓ２を備え、直列接続されたコンデンサ２５ＢとスイッチＳ２からなる回路と、コンデンサ２５Ａとが並列接続されてなる回路である。コンデンサ２５Ａ、２５Ｂの一方の端子は、接地されており、コンデンサ２５Ａの他方の端子は、昇圧トランス２６の一次巻線２６Ａの他端２６２と接続されている。スイッチ素子Ｓ２は、周波数検知回路２９と接続され、周波数検知回路２９からの出力信号に基づいてオン、オフする。
【００２１】
昇圧トランス２６は、一次巻線２６Ａと二次巻線２６Ｂを備え、一次側に入力される電圧を昇圧して、これをダイナミックフォーカス電圧として二次側から出力する。一次巻線２６Ａの一端２６１は、チョークコイル２８Ｃを介して電源２８に接続され、二次巻線２６Ｂの一端２６３は、カップリングコンデンサ２７を介して電子銃１０Ｇのフォーカス電極に接続され、他端２６４は接地されている。
【００２２】
周波数検知回路２９は、受信した水平同期信号に基づいて水平走査周波数を検出し、その検出結果、すなわち受信した映像信号がインターレース方式（水平走査周波数：１５．７５ＫＨｚ）とプログレッシブ方式（３３．７ＫＨｚ）のいずれによるものかに応じて、スイッチ素子Ｓ１、Ｓ２双方のオン、オフ切り換えを行う。具体的には、走査方式がインターレース方式の場合には、同図に示すようにスイッチ素子Ｓ１、Ｓ２を共にオンさせ、プログレッシブ方式の場合には、共にオフさせる。
【００２３】
以下、図３に示す波形図も参照しながら、走査方式がインターレース方式の場合における回路動作を説明する。
スイッチングパルス発生回路２１は、走査方式がインターレース方式の場合、水平同期信号を受信すると、水平周期Ｔ１（１／１５．７５（ＫＨｚ））のパルス信号を出力させる。このパルス信号の立上がり、立下りのタイミングに応じてトランジスタ２２がオン、オフ制御され、主にコンデンサ２４Ａと一次巻線２６Ａから構成される共振回路（第１の共振回路）の共振作用、およびダンパーダイオード２３の作用により、図３（ａ）に示すような電圧値のピークが水平周期Ｔ１と同期するパルス状電圧が生成される。
【００２４】
この第１の共振回路によるパルス状電圧の生成と同時に、主にコンデンサ２５Ａ、２５Ｂと一次巻線２６Ａから構成される共振回路（第２の共振回路）の共振作用により、図３（ｂ）に示すような水平周期Ｔ１の逆パラボラ状の電圧が生成される。すなわち、第１と第２の共振回路により生成された電圧は、昇圧トランス２６の一次側で合成されることになる。この意味で、昇圧トランス２６は、電圧合成手段として機能するものといえる。
【００２５】
生成されたパルス状とパラボラ状の電圧は、ここでは一次巻線２６Ａを介してその正負が逆向きになるので、昇圧トランス２６によって差分されて昇圧され、昇圧トランス２６の二次側からは、図３（ｃ）に示すような鍋底形波形の電圧が出力されることになる。
一方、走査方式がプログレッシブ方式の場合には、スイッチングパルス発生回路２１は、水平周期Ｔ２（１／３３．７（ＫＨｚ））のパルス信号を出力させる。また、周波数検知回路２９は、スイッチ素子Ｓ１、Ｓ２をオフさせる。
【００２６】
トランジスタ２２は、スイッチングパルス発生回路２１からのパルス信号によりオン、オフ制御され、第１と第２の共振回路の共振作用等により、電圧値のピークが水平周期Ｔ２と同期するパルス状電圧と、水平周期Ｔ２のパラボラ状電圧が生成され、これらが合成されて昇圧トランス２６により昇圧され、ダイナミックフォーカス電圧として出力される。その際、スイッチ素子Ｓ１、Ｓ２がオフになっているので、インターレース方式の場合に比べて、第１のコンデンサ部２４と第２のコンデンサ部２５双方の静電容量が小さくなっている。共振回路における共振周波数ｆは、ｆ＝１／[２π×（ＬＣ）1/2｝で定義されることから、プログレッシブ方式では、インターレース方式に比べて、第１と第２の共振回路の共振周波数が大きくなる。これによりプログレッシブ方式では、インターレース方式よりもパルス状電圧のパルス幅が短くなり、またパラボラ状電圧の周期が短くなることになる。この意味で、周波数検知回路２９は、共振周波数を変更させる共振周波数変更手段として機能するものである。
【００２７】
図４は、インターレース方式とプログレッシブ方式におけるダイナミックフォーカス電圧の波形を比較するための模式図であり、図４（ａ）はインターレース方式を、図４（ｂ）はプログレッシブ方式の場合の波形例を示している。
両図に示すように、インターレース方式よりもプログレッシブ方式の方が、パルス状波形の部分では、パルス幅が短くなって（ｔ１＞ｔ２）急峻に立ち上がる形状になっており、またパラボラ状波形では、パルス状波形付近の傾きが大きくなっている。これは、プログレッシブ方式は、インターレース方式より水平走査周波数が高く、すなわち電子ビームの水平走査速度が速いため、最適なフォーカスを得るには、画面周辺部に移るに連れてインターレース方式よりも急峻な立ち上がりパルスを有する鍋底形の波形をしたダイナミックフォーカス電圧が必要とされるからである。
【００２８】
このように本実施の形態のダイナミックフォーカス回路２０は、第１および第２の共振回路における共振コンデンサの静電容量を個別に変更可能な構成になっているので、走査方式ごとにパルス状およびパラボラ状電圧それぞれを独立して調整することができ、もって複数の走査方式を選択して使用する場合でも各方式について最適な波形のダイナミックフォーカス電圧を生成することが可能になる。
【００２９】
なお、コンデンサ２４Ａ、昇圧トランス２６等の各回路素子について、その容量、インダクタンス等の定数を特に記載していないが、それらは各走査方式で使用される水平走査周波数（水平周期）、画面サイズ等によって変わるものであり、実験等から最適な値が決定されることになる。
また、上記では、走査方式としてインターレース方式とプログレッシブ方式のいずれか一方を選択する場合の例を説明したが、水平走査周波数が異なる３以上の走査方式の一を選択する構成にすることもでき、その場合には、走査方式ごとに最適なダイナミックフォーカス電圧が得られる共振コンデンサをそれぞれ共振コンデンサ部２４、２５に配置し、それらをスイッチ、リレー等で切り換えるようにすれば良い。
【００３０】
また、近年、アスペクト比を４：３又は１６：９で任意に選択して表示可能な陰極線管装置が開発されている。このようにアスペクト比を変えて画面表示させる構成では、水平走査周波数が等しくても画面上における水平走査距離が異なるため、ダイナミックフォーカス電圧としての最適波形もアスペクト比ごとに異なる場合も生じうる。このような場合には、アスペクト比ごとに、これに対応する共振コンデンサを共振コンデンサ部２４、２５にさらに配置し、これらを切り換える構成にすれば、アスペクト比が変わっても、最適なダイナミックフォーカス電圧を生成することが可能になる。
【００３１】
（変形例）
以上、本発明を実施の形態に基づいて説明してきたが、本発明は、上述の実施の形態に限定されないのは勿論であり、以下のような変形例が考えられる。
（１）上記実施の形態では、水平走査についてのダイナミックフォーカス電圧の波形を説明したが、実際には垂直走査についても電子ビームの偏向角に応じて変化する電圧を加えることが望ましく、例えば図５に示すように、垂直周期のパラボラ状電圧を発生させる公知の垂直パラボラ電圧発生回路３０を電源２８とチョークコイル２８Ｃの間に介在させる回路構成をとることができる。このようにすれば、図４に示す鍋底波形の電圧に、垂直周期の垂直パラボラ電圧が重畳されることになり、画面垂直方向においても同時にフォーカス補正することができる。
【００３２】
また、図６に示すように、昇圧トランス２６の二次側に垂直パラボラ電圧発生回路３１を配置する構成をとることも可能である。
（２）上記実施の形態では、走査方式に応じて、パルス状とパラボラ状電圧の双方を変えるとしたが、例えばパラボラ状電圧だけを変える構成とすることもできる。通常、ユーザは、画面の中央部に注目しており、縁端部までを注視することは少ないと考えられ、その場合、画面の中央からその周辺部分のフォーカスに特に影響を与えるパラボラ状電圧を、走査方式ごとに最適な波形に調整できれば、仮にパルス状電圧波形が、一方の走査方式について最適な形状から多少変形して（ずれて）いたとしても、実質的に画質劣化に至ることはほとんどないからである。
【００３３】
この場合、共振コンデンサ部２４は、スイッチＳ１が不要となって、共振コンデンサだけが配置される回路構成にされることになるが、パルス状電圧の波形としては、水平走査周波数が高い方の走査方式のときに最適な形状になるように、その共振コンデンサの容量が調整されることが好ましい。
さらに、このような構成にする場合、フライバックトランスから出力されるフライバックパルスを上記パルス状電圧として利用すれば、パルス状電圧の生成回路を別途形成する必要がなくなるので、部品点数の削減により、製造コストを低減することが可能になる。
【００３４】
（３）上記実施の形態では、共振コンデンサ部２４、２５それぞれに、２つのコンデンサを並列又は直列に接続し、スイッチを切り換えることによって、共振コンデンサの静電容量を変化させる構成にしたが、３以上のコンデンサを並列、直列、またはそれらを組合わせて接続することによって静電容量を変化させる構成としてもよい。また、共振コンデンサとして可変コンデンサを使用して、その静電容量を変更させる構成とすることもできる。これによって、ダイナミックフォーカス回路が生成可能な波形が多様化されるので、例えば走査方式、アスペクト比による表示モードを任意に選択できる陰極線管装置において、走査方式や表示モードの組み合わせに応じて、電圧波形が最適な形状をしたダイナミックフォーカス電圧を生成することが可能になる。
【００３５】
（４）上記実施の形態では、第１と第２の共振回路によって生成されたパルス状電圧と逆パラボラ状電圧との差分が昇圧トランス２６の一次側に入力される構成としたが、例えばパルス状電圧と、図７に示すようなパラボラ状電圧を生成し、これらを加算したものが昇圧トランス２６に入力される回路構成をとることもできる。
（５）上記実施の形態では、昇圧トランス２６の一次巻線２６Ａを、第１と第２の共振回路の共振コイルとして共用する構成としたが、例えば各共振回路が個別に共振コイルを有する回路構成とすることも可能である。
【産業上の利用可能性】
【００３６】
いずれの走査方式が選択されたときでも、良好なフォーカスを得ることが要求される陰極線管装置に利用することができる。
【図面の簡単な説明】
【００３７】
【図１】本発明の実施の形態に係る陰極線管装置１の全体構成を示すブロック図である。
【図２】陰極線管装置１に配されるダイナミックフォーカス回路２０の回路構成を示す図である。
【図３】（ａ）は、第１の共振回路により生成されるパルス状電圧の波形を示す図であり、（ｂ）は、第２の共振回路により生成されるパラボラ状電圧の波形を示す図であり、（ｃ）は、（ａ）と（ｂ）の電圧が合成されて生成されたダイナミックフォーカス電圧の波形を示す図である。
【図４】（ａ）はインターレース方式におけるダイナミックフォーカス電圧の波形の模式図であり、（ｂ）はプログレッシブ方式におけるダイナミックフォーカス電圧の波形の模式図である。
【図５】垂直パラボラ電圧発生回路３０を組み込んだダイナミックフォーカス回路の回路構成を示す図である。
【図６】垂直パラボラ電圧発生回路３１を組み込んだ別のダイナミックフォーカス回路の回路構成を示す図である。
【図７】従来のダイナミックフォーカス電圧の波形例を示す図である。
【図８】従来のダイナミックフォーカス電圧の別の波形例を示す図である。
【図９】従来のダイナミックフォーカス回路１２０の回路構成を示す図である。
【符号の説明】
【００３８】
１      陰極線管装置
１０      陰極線管
２０      ダイナミックフォーカス回路
２１      スイッチングパルス発生回路
２２      トランジスタ
２３      ダンパーダイオード
２４、２５      共振コンデンサ部
２４Ａ、２４Ｂ、２５Ａ、２５Ｂ      コンデンサ
２６      昇圧トランス
２６Ａ      一次巻線
２６Ｂ      二次巻線
２９      周波数検知回路
３０、３１      垂直パラボラ電圧発生回路
Ｓ１、Ｓ２      スイッチ素子
【図１】
2005184146.tif 000003
【図２】
2005184146.tif 000004
【図３】
2005184146.tif 000005
【図４】
2005184146.tif 000006
【図５】
2005184146.tif 000007
【図６】
2005184146.tif 000008
【図７】
2005184146.tif 000009
【図８】
2005184146.tif 000010
【図９】
2005184146.tif 000011